(57)【要約】【課題】  骨上げ後に遺骨を納めた骨壷及び位牌を一人で持つことができ、また仏壇が未だなくても厳かな後飾りを形成することができ、更に後飾りで白布をかける箱や小机等の役割を担える葬祭具を提供するする。【解決手段】  位牌４と骨壷５０と、仕切壁２３を入れて該骨壷と該位牌を詰め合わせるようにした収納ケース１とを具備し、且つ該収納ケース１が、底板部２１と側板部２２とで上面開口２０の中空直方体状にして仕切壁２３で内部が区画化され、前記骨壷５０と前記位牌４を詰め合わせるようにした箱本体２と、天壁３１と側壁３２とで該箱本体よりも一回り大きくした下面開口３０の中空直方体状にして、前記箱本体に上から被せて嵌合することのできる蓋体３とからなり、箱本体２及び蓋体３の外面側の地色を黄金色とし、更に蓋体３の天壁内面３１ｂに仏画３４を描いてなる。【選択図】  図１
2006223511.tif 000002
【特許請求の範囲】
【請求項１】
位牌(４)と骨壷(５０)と、仕切壁(２３)を入れて該骨壷と該位牌を詰め合わせるようにした収納ケース(１)と、を具備することを特徴とする葬祭具。
【請求項２】
前記収納ケース(１)が、底板部(２１)と側板部(２２)とで上面開口(２０)の中空直方体状にして仕切壁(２３)で内部が区画化され、前記骨壷(５０)と前記位牌(４)を詰め合わせるようにした箱本体(２)と、天壁(３１)と側壁(３２)とで該箱本体よりも一回り大きくした下面開口(３０)の中空直方体状にして、前記箱本体に上から被せて嵌合することのできる蓋体(３)と、からなる請求項１に記載の葬祭具。
【請求項３】
前記箱本体(２)及び前記蓋体(３)の外面側の地色を黄金色とし、さらに前記蓋体(３)の天壁内面(３１ｂ)に仏画(３４)を描いてなる請求項２に記載の葬祭具。
【請求項４】
前記蓋体(３)の側壁高さ(ｈ２)を前記箱本体(２)の側板部高さ(ｈ１)より高くすると共に、蓋体(３)に係る天壁内面(３１ｂ)側の４つの各角部で、該天壁内面(３１ｂ)に上縁が当接するようにし且つ角部を形成する隣り合う側壁部分(３２Ａ,３２Ｂ)に両側縁(３３ａ,３３ｂ)を支持させて高さ(ｈ３)を同じくする補強リブ(３３)がさらに設けられ、また蓋体(３)を仰向けにしてその上面開口(３０)から該蓋体内に箱本体(２)が底板部(２１)を下にして収納されたときに該箱本体２が前記補強リブ(３３)上に載置されて前記側板部(２２)が前記側壁(３２)よりも上方に露出してなる請求項３に記載の葬祭具。
【発明の詳細な説明】
【技術分野】
【０００１】
本発明は葬儀,後飾り(「中陰壇」ともいう。)等に使用される葬祭具に関する。
【背景技術】
【０００２】
火葬場へは位牌や骨壷等を持っていく。納めの式,骨上げがなされた後、遺族は遺骨を納めた骨壷を抱き、また位牌をもって葬儀会館或いはそのまま家に向かうことになる。遺骨が帰宅したら、通常、後飾りと呼ばれる祭壇に一旦安置される。通夜,葬式に参列できなかった人が弔問にみえる場合もこの祭壇にお参りする。後飾りは箱や小机などを白布で覆い、この上に火葬場から帰った遺骨,位牌、遺影が安置される。
【０００３】
しかるに、火葬場から葬儀会館等へ向かう折、近年の少子化等で位牌や骨壷を遺族が分担してもつことが困難な場合がある。火葬場への位牌や骨壷等の運搬は未だ遺骨が納まってないことから、一人でも風呂敷等で一つにまとめて運ぶことができるが、骨上げ後に一人で遺骨を納めた骨壷を抱き且つ位牌をもって葬儀会館等に向かうのは困難であった。ここで、位牌と骨壷を一体にした納骨位牌の発明技術の提案がある(例えば特許文献１参照)。
【０００４】
【特許文献１】登録実用新案第３０３８４９５号公報
【発明の開示】
【発明が解決しようとする課題】
【０００５】
しかし、特許文献１は位牌の台部を箱状にして、その箱内に遺骨を納めるようにした納骨位牌であり、各家庭の仏壇等に安置して先祖を供養する位牌として用いられるものであった。この納骨位牌をそのまま骨上げに用いるのは不便であり、また骨上げのしきたりから外れたものとなる。加えて、分骨するときは骨壷を二つ用意しなければならず不合理になっている。結局、火葬場から昔ながらのしきたりで位牌や骨壷を少人数の遺族が持ち帰ることの前記困難さの解決になっていなかった。
一方、後飾りの準備にあたって、白布をかける適当な小机や箱などがない場合、仏壇が未だない場合等があり、肉親等の遺骨に尊敬の念がありながらその遺骨を大切に安置できない問題や、また弔問客に後飾りの祭壇でお参りしていただくうえで不十分な対応しかとれない問題があった。
【０００６】
本発明は上記問題点を解決するもので、骨上げ後に遺骨を納めた骨壷及び位牌を一人で持つことができ、また仏壇が未だなくても厳かな後飾りを形成することができ、さらに後飾りで白布をかける箱や小机等の役割を担える葬祭具を提供することを目的とする。
【課題を解決するための手段】
【０００７】
上記目的を達成すべく、請求項１に記載の発明の要旨は、位牌(４)と骨壷(５０)と、仕切壁(２３)を入れて該骨壷と該位牌を詰め合わせるようにした収納ケース(１)と、を具備することを特徴とする葬祭具にある。請求項１の発明のごとく骨壷と該位牌を詰め合わせるようにした収納ケースを具備すると、位牌,骨壷を一人で楽に持てるようになる。
請求項２に記載の葬祭具は、請求項１で、収納ケース(１)が、底板部(２１)と側板部(２２)とで上面開口(２０)の中空直方体状にして仕切壁(２３)で内部が区画化され、前記骨壷(５０)と前記位牌(４)を詰め合わせるようにした箱本体(２)と、天壁(３１)と側壁(３２)とで該箱本体よりも一回り大きくした下面開口(３０)の中空直方体状にして、前記箱本体に上から被せて嵌合することのできる蓋体(３)とからなることを特徴とする。このような箱本体と蓋体からなる収納ケースであると、取り扱い易く、しかも安定して且つ確実に持ち運べる。
請求項３に記載の葬祭具は、請求項２で、箱本体(２)及び前記蓋体(３)の外面側の地色を黄金色とし、さらに前記蓋体(３)の天壁内面(３１ｂ)に仏画(３４)を描いてなることを特徴とする。斯る箱本体,蓋体であると、仏壇が未だなくても仏画を祭壇に飾り、厳かな後飾りを用意できる。
請求項４に記載の葬祭具は、請求項３で、蓋体(３)の側壁高さ(ｈ２)を前記箱本体(２)の側板部高さ(ｈ１)より高くすると共に、蓋体(３)に係る天壁内面(３１ｂ)側の４つの各角部で、該天壁内面(３１ｂ)に上縁が当接するようにし且つ角部を形成する隣り合う側壁部分(３２Ａ,３２Ｂ)に両側縁(３３ａ,３３ｂ)を支持させて高さ(ｈ３)を同じくする補強リブ(３３)がさらに設けられ、また蓋体(３)を仰向けにしてその上面開口(３０)から該蓋体内に箱本体(２)が底板部(２１)を下にして収納されたときに該箱本体２が前記補強リブ(３３)上に載置されて前記側板部(２２)が前記側壁(３２)よりも上方に露出してなることを特徴とする。このような蓋体と箱本体の構成にすると、後飾りの準備にあたって、白布をかける適当な小机や箱などがなくても、蓋体の上に箱本体を載せることによって、箱本体が一段高くなるので、収納ケース自体が白布をかける箱や小机等の役割を果たせるようになる。
【発明の効果】
【０００８】
本発明の葬祭具は、骨上げ後に遺骨を納めた骨壷及び位牌を一人で楽に持ち運ぶことができ、また仏壇が未だなくても厳かな後飾りを形成でき、さらには後飾りで白布をかける箱や小机等の代役をも担うことができるなど優れた効果を発揮する。
【発明を実施するための最良の形態】
【０００９】
以下、本発明に係る葬祭具について詳述する。図１〜図６は本発明の葬祭具の一形態で、図１はその全体斜視図、図２は骨壷と位牌と舎利箱とを箱本体内に詰め合わせる様子を示す説明斜視図、図３は図１の骨上箸を箱本体に入れた後、蓋体で箱本体を蓋した状態の全体斜視図、図４は仰向け状態した蓋体の斜視図、図５は蓋体を仰向けにしてその上面開口から箱本体の底板部を下にして該箱本体を収納した様子を示す斜視図、図６は蓋体の裏面図である。図４では図６に描かれている仏画の図示を省略する。
【００１０】
本葬祭具は収納ケース１と位牌４と骨壷５０と舎利箱６と骨上箸７とを備える。
収納ケース１は仕切壁２３を入れて骨壷５０と位牌４を詰め合わせるようにした容器である。ここでの収納ケース１は段ボール製で、箱本体２と蓋体３とからなる。箱本体２は図１,図２に示すごとく、底板部２１と側板部２２とで上面開口２０の中空直方体状にして仕切壁２３で内部が区画化され、骨壷５０と位牌４を詰め合わせるための収納ケース主部になっている。一枚ものの段ボール紙を裁断加工した後、底板部２１から延設する側板形成部を上面開口縁２２１で内折りして、上面を除き、周りを長方形の板部からなる底板部２１,側板部２２で囲む上面開口２０の中空直方体を形成する。そして、別途、骨壷５０,舎利箱６と位牌４とを区分けする板状の仕切壁２３ａを設け、また骨壷５０,舎利箱６を仕切る板状の仕切壁２３ｂを設けて、それぞれ区画化された空所Ｓ１〜Ｓ４に位牌４と骨壷５０と舎利箱６が収まる大きさの箱本体２とする。箱本体２の側板部高さｈ１は骨壷５０を納める白木の箱５１の高さにほぼ同じくする。符号２４は所定空所に納められる位牌４がガタツキなく収納されるようにする係止部材で、符号２５は位牌４が底板部２１から所定高さ位置で見栄え良く収められるようにするための底上げ部材を示す。符号２６は舎利箱６がガタツキなく収納されるよう調整するスペーサを示す。
【００１１】
本実施形態の中空直方体状に形成する箱本体２は、外面のみならず箱本体２の内面も併せて外観に現れる部分の地色を全て黄金色とし、さらに仕切壁２３、係止部材２４,底上げ部材２５,スペーサ２６等も外面になる部分を全て黄金色とする。厳かな容器に仕上げるためである。そして、図示を省略するが、箱本体２の底板部２１と側板部２２の外面には蓮の図柄が描かれ、葬祭具としての雰囲気を演出する。
【００１２】
蓋体３は天壁３１と側壁３２とで箱本体２よりも一回り大きくした下面開口３０の中空直方体状にして、箱本体２に上から被せて嵌合することのできる上蓋である。段ボール製で、一枚ものの段ボール紙を裁断加工した後、天壁３１から延設する側壁形成部を下面開口縁３２１で内折りして、下面開口３０を除き、周りを長方形の板部からなる天壁３１,側壁３２で囲む下面開口３０の中空直方体に形成する(図１,図４)。そして、天壁３１の内面側の４つの各角部で、内折りされた側壁部分３２Ａに一側３３ａがつながる舌片状の補強リブ３３を設け、該補強リブ３３の上縁が天壁内面３１ｂに当接するようにし且つ角部を形成する隣の側壁３２に両側縁を支持させる蓋体３とする。詳しくは、蓋体３が仰向け状態にある図４において、下面開口縁３２１から蓋体３の側壁３２の約１／２ほど中へ入った天壁内面３１ｂ側の４つの各角部で、内折りされた側壁部分３２Ａに一側３３ａがつながる四角形の舌片からなる補強リブ３３ができるよう水平カット部分３２ａを設け、また該側壁部分３２Ａとで角部を形成する隣りの側壁部分３２Ｂに縦長の切欠き３２ｂを設ける。そして、前記補強リブ３３の他側３３ｂを該切欠き３２ｂに挿入,係止させて、補強リブ３３の両側縁３３ａ,３３ｂが角部を形成する隣り合う側壁部分３２Ａ,３２Ｂに起立状態で支持されるようにしている。ここでは、各角部に設けられた４つの補強リブ３３の高さｈ３を同じにし、さらに蓋体３の側壁高さｈ２を箱本体２の側板部高さｈ１よりも高く設定し、箱本体２に蓋体３で蓋したときに蓋体３の側壁下縁３２１が箱本体２の底板部２１よりもｈ４分(図３)だけ上方に位置する一方、蓋体３を仰向けにしてその上面開口３０から蓋体３内へ箱本体２が底板部２１を下にして収納されたときに箱本体２が補強リブ３３上に載置されて側板部２２を側壁３２よりもｈ５分(図５)だけ上方に露出させるようにする。本実施形態は、ｈ３≒ｈ２／２＜ｈ１＜ｈ２として、ｈ４＝ｈ１−(ｈ２−ｈ３)≒ｈ１−ｈ２／２、ｈ４＝ｈ５で、上記要件を満たすようにしている。箱本体２に蓋体３を被せたとき、補強リブ３３の下縁３３ｃが箱本体２の上縁２２１に当接し、図３のように蓋されても箱本体２の上縁２２１と蓋体３の天壁内面３１ｂとの間に補強リブ高さｈ３に相当する空間ができる。
【００１３】
本実施形態の中空直方体状に形成する蓋体３は、図６のごとく蓋体３の天壁３１の内面３１ｂの全域及び側板３２の内面側に阿弥陀如来等の仏画３４が描かれる。そして、これら以外の天板外面３１ａ,側板３２で、外観に現れる部分の地色を全て黄金色とする。厳かな容器に仕上げるためである。また図示を省略するが、天壁外面３１ａと側壁３２の外面には、葬祭具の雰囲気を演出する蓮の図柄が描かれる。
【００１４】
位牌４は葬儀の際に用いる木地のままの白木の位牌４である。位牌４は例えば図１,図４,図５のごとく包装紙９２に包まれて、仕切壁２３ａで区画化された箱本体２の縦長空所Ｓ１に納められる。空所Ｓ１に底上げ部材２５を敷き、係止部材２４を置いた後、包装紙９２に包まれた位牌４が箱本体２内の空所Ｓ１に納められる。係止部材２４が位牌４を挟持して横ブレを防ぐ。
【００１５】
骨壷５０は火葬後に残った遺骨を入れる陶磁器製からなる壷形,瓶形等の容器である。骨壷５０は桐やモミの白木等の箱に納まる骨壷入れ５の状態で、仕切壁２３で区画化された箱本体２の所定空所Ｓ２に納められる。箱詰めされた状態の骨壷入れ５ａの上面は箱本体２の上縁２２１にほぼ一致する。本実施形態の葬祭具では墓用の主たる骨壷入れ５ａの他に、本山用の分骨容器５ｂも備えられている。骨壷５０の入った分骨袋５２が半球状のガラス容器５３に納まる格好で、仕切壁２３によって区画化された箱本体２の所定空所Ｓ４に納められる。分骨容器が箱本体２に収容された際、ガラス容器の上部が箱本体２の上縁２２１よりも上方に突き出す。しかし、前述のごとく箱本体２が蓋体３で蓋された状態でも、箱本体上縁２２１と蓋体３の天壁内面３１ｂとの間に補強リブ高さｈ３がある空間ができているので、不都合なく骨壷入れ５を箱本体２に納めた状態で蓋することができる。
【００１６】
舎利箱６は白木からなる容器である。喉仏は故人と最も血縁の深かった人が拾うのがしきたりとされているが、この喉仏は舎利箱６に収納される。舎利箱６は箱本体２の所定空所Ｓ３に納められる。
【００１７】
骨上箸７は骨を拾うのに使用されるものである。木と竹の箸一組となって包装紙９１に包まれる。箱本体２に位牌４,骨壷入れ５,舎利箱６が箱詰めされ、続いて、それらの上に骨上箸７が載せられた後、蓋体３で蓋される。ここでは二組の骨上箸７が組み込まれるようにしている。
【００１８】
このように構成した葬祭具は、骨上げ後に遺骨を納めた骨壷５０及び位牌４を一人で楽に持つことができる。収納ケース１に位牌４,骨壷５０を一緒に箱詰めできるので、骨上げ後、骨壷５０,位牌４を収納ケース１に収めて遺族一人で容易に持ち運ぶことができる。本実施形態のごとく位牌４の他に骨壷５０が墓用と本山用の２つがあり、さらに舎利箱６があっても、これらを一人で楽に持てる。火葬場からの帰りは遺影を持つ者も必要であり、従来は最低でも３人を要したが、骨壷５０,位牌４を一人で持ち運べるので、少人数の遺族にあって非常に助かる葬祭具となる。位牌４や骨壷５０は箱本体２の所定空所Ｓ１〜Ｓ４にきちんと動かぬよう箱詰めでき、また箱詰めされた収納ケース１は持ち易い手頃な大きさの直方体形状になるので、安定して且つ確実に運ぶことができる。
しかも、位牌４,骨壷５０が納められた収納ケース１は地色が黄金色であるので、厳かな容器に仕上り、格調高い葬祭儀式用具になる。さらに蓋体３の外面、箱本体２の外面には蓮の図柄が描かれているので、葬儀の厳粛な雰囲気を醸し出す。
【００１９】
また、火葬場から帰った遺骨(骨壷５０),位牌４,遺影は後飾り祭壇に、忌明けまで安置されることになるが、本葬祭具は図５のごとく蓋体３の上に箱本体２を置くことによって箱本体２が補強リブ３３の高さ分だけ高くなる。その結果、仏壇の前でも位牌４,骨壷５０等が一段高い状態で配されるので遺骨等を大切に安置できる。後飾りにおいて、収納ケース１が白布をかける箱や小机等の役割を果たす。
また、本葬祭具は仏壇が未だなくても厳かな後飾りを形成できる。蓋体３の内面３１が見えるように起立させることによって、仏画３４を拝むことができるので厳粛な後飾りになる。遺骨,位牌４,遺影の背後に、図６のように蓋体３を起立させ、蓋体内面３１ｂに描かれた阿弥陀如来等の仏画３４が礼拝する人達の方へ向けられると、後飾りの前に坐ったときに正面に阿弥陀如来等を臨むことになるので、たとえ仏壇がなくても十分なもてなしができる。通夜,葬式に参列できなかった弔問客等に後飾りの祭壇でお参りしていただく際にも失礼のない対応がとれる。
【００２０】
尚、本発明においては前記実施形態に示すものに限られず、目的,用途に応じて本発明の範囲で種々変更できる。収納ケース１,位牌４,骨壷５０,舎利箱６,骨上箸７等の形状,大きさ,材質,個数等は用途に合わせて適宜選択できる。実施形態では分骨用骨壷入れ５や舎利箱６を収納ケース１にセットで箱詰めしたが、これらは適宜省略できる。
【図面の簡単な説明】
【００２１】
【図１】本発明の葬祭具の一形態で、その全体斜視図である。
【図２】骨壷と位牌と骨上箸とを舎利箱内に詰め合わせる様子を示す説明斜視図である。
【図３】図１の骨上箸を箱本体に入れた後、蓋体で箱本体を蓋した状態の全体斜視図である。
【図４】仰向け状態した蓋体の斜視図である。
【図５】蓋体の上面開口から箱本体の底板部を下にして該箱本体を収納した様子を示す斜視図である。
【図６】蓋体の裏面図である。
【符号の説明】
【００２２】
１          収納ケース
２          箱本体
２０        上面開口
２１        底板部
２２        側板部
３          蓋体
３０        下面開口(上面開口)
３１        天壁
３１ｂ      天壁内面
３２        側壁
３３        補強リブ
３３ａ      一側(側縁)
３３ｂ      他側(側縁)
４          位牌
５０        骨壷
ｈ１          側板部高さ
ｈ２          側壁高さ
【図１】
2006223511.tif 000003
【図２】
2006223511.tif 000004
【図３】
2006223511.tif 000005
【図４】
2006223511.tif 000006
【図５】
2006223511.tif 000007
【図６】
2006223511.tif 000008